(57)【要約】      （修正有）【課題】医療費控除対象商品のみが購入履歴としてレシート１枚に集約することで、納税者の利益確保、税理士の作業軽減、国税庁に明瞭な数字を提供する。【解決手段】薬局やスーパー等が医療費控除対象商品となるものをハードディスク等の記憶媒体に別管理で記憶させ、近年普及している顧客カードやポイントカード等に付随の顧客識別番号を用い、顧客が購入した時点で医療控除対象商品とそれ以外の商品に仕分けし、薬局等が設けた顧客認識番号へ購入した医療費控除対象商品のみを記憶媒体に保存し、顧客の要求により確定申告該当年の医療費控除商品購入リストを一括出力する。【選択図】図１
2012053845.tif 000002
【特許請求の範囲】
【請求項１】
医療費控除申請を支援するサービスを行う医療費控除手続支援システムであって、顧客の医療費控除申請該当品目の購入情報を格納した購入情報格納装置を有し、該格納装置から指定した購入情報を抽出する抽出手段と、前記購入情報を抽出手段から抽出処理をコンピューターにアウトプットを実行させることを特徴とする医療費控除手続支援システム。
【請求項２】
前記抽出処理は、前記購入情報格納装置から抽出する前記抽出手段から抽出処理された前記購入情報を、前記アウトプットはコンピューターにつながったプリンターにより、印字出力させることを特徴とする請求項１記載の医療費控除手続支援システム。
【発明の詳細な説明】
【技術分野】
【０００１】
本発明は、医療費控除手続きの支援に関するものである。
【背景技術】
【０００２】
納税者が自分自身または自分と生計を一つにする配偶者やその他の親族のために医療費控除を支払った場合、一定の金額の所得控除、すなわち医療費控除を受け取ることができる。医療費控除の対象となるのは、年間（１月１日〜１２月３１日）を通じて支払った金額が１０万円を超えた場合であり、医療費控除申請にあたっては証拠資料として医療費支払いの領収書が必須である。
【０００３】
ところが、医療費控除申請に備えて領収書を保存しておくことを失念したり、医療に該当するかが分からないため、必要な領収書を捨ててしまうことが多い。また、領収書を再発行してもらうことは非常に難しい。
【０００４】
そこで、医療費控除の適用を受けるための医療費支出を管理するシステムが開示されている。（例えば、特許文献１）
【先行技術文献】
【特許文献】
【０００５】
【特許文献１】特開２００１−３１２５５６号公報
【発明の概要】
【発明が解決しようとする課題】
【０００６】
医療費控除の適用対象となる医療費等は、規定された条件に適合したものでなければならないが、しかし、一般的に薬局やスーパー等で医療費控除対象商品を購入した場合、医療機関と違い、発行されたレシートは色や大きさが特別に工夫されてはおらず、日常生活の中で１年間の保管を徹底するのは極めて困難である。また納税者がレシートの中から医療費控除対象商品であるか否かの分別をするには相応の情報や知識が必要で、乏しければ確定申告への無関心は当然で、レシートの保管すら無意識となり不利益にもなる。
【０００７】
そもそも治療目的であるにもかかわらず、薬局等での購入品も確定申告に該当すると認識していない納税者も多く、国民への意識づけに全く対応できていないといってもよい。
【０００８】
さらに確定申告期間に国税庁が地域ごとに派遣している税理士においても、納税者が提出するレシートから医療費控除対象商品のみを拾い出し検算するという作業をひたすら行うことになるが、税理士が医療費控除対象商品を完璧に把握できるとは限らない。すなわち税理士という専門家が目を通しても納税者の利益は確保されない。
【０００９】
本発明は、納税者の医療費控除対象商品のみが購入履歴としてレシート１枚に集約することを課題とし、納税者は滞りない還付請求で平等に権利が行使でき、税理士は著しく作業が捗り、国税庁は数字の把握が明瞭になることを目的としている。
【課題を解決するための手段】
【００１０】
上記の課題を解決するためになされた本発明は、薬局やスーパー等が医療費控除対象商品となるものをハードディスク等の記憶媒体に別管理で記憶させ、近年普及している顧客カードやポイントカード等に付随の顧客識別番号を用い、顧客が購入した時点で医療控除対象商品とそれ以外の商品に仕分けし、薬局等が設けた顧客認識番号へ購入した医療費控除対象商品のみを記憶媒体に保存し、顧客の要求により確定申告該当年の医療費控除商品購入リストを一括出力することを特徴とする。
【発明の効果】
【００１１】
本発明によれば、顧客が医療費控除の対象となる可能性のある領収書を保管すべきことを失念しても、薬局等において容易且つ適切に対応することができる。
【００１２】
医療費控除対象品の購入履歴がレシートに一括出力されることにより、総合計金額が一目瞭然となり、集中する確定申告期間の税理士の作業を一層進捗する。
【００１３】
医療費控除対象品として請求できるものが明確になり、納税者の負担が軽減する。
【００１４】
顧客自身が薬局等に設置の端末機を操作することにより、顧客は医療費控除対象品の購入履歴が確認できるため端末画面で出力不要と判断すればレシートの無駄にならず、薬局等にも一切手を煩わせずに済む。
【図面の簡単な説明】
【００１５】
【図１】本発明における医療控除対象品の領収書出力装置の構成概要を示す。
【図２】本実施形態における全体フローを示す。
【図３】本発明における顧客カードを示す。
【発明を実施するための形態】
【００１６】
以下、本発明に係る医療費控除手続支援システムの一実施形態について図面を参照して説明する。
【００１７】
本システムの利用を所望する顧客は、図３に示すような専用の顧客カード（顧客識別番号を記憶）を入手する必要がある、この顧客カードは薬局やスーパー等によって発行される。
【００１８】
図１に示すように、薬局等に設置された医療費控除手続用の専用端末１には、医療費控除対象品取得手段２が設けられている。医療費控除対象品情報格納手段６に照会し、顧客カード８に基づいて顧客が購入した時点で医療費控除対象品か否かを医療費控除可能性判定手段５により決定する。
【００１９】
前記医療費控除可能性判定手段５により医療費控除対象品と決定された後、顧客情報格納手段７に情報を格納する。
【００２０】
顧客が確定申告の医療費控除申請に備えて、薬局等の専用端末機１に顧客カード８を挿入し、顧客識別番号とパスワードを入力し、画面操作を行い、医療費控除集計ボタン及び年度特定ボタンを操作すると、前記専用端末１の医療費控除集計手段４によって明細が画面に表示される。
【００２１】
前記画面には顧客名、購入品のリスト購入金額の合計が表示され、OKボタンを操作すると領収書の様式が表示されるので、間違いないがない場合にはプリントボタンを操作すると領収書が出力手段３によって出力される。
【００２２】
以上説明したように、本実施形態に係る医療費控除手続支援システムによれば、医療費控除の申請に必要な領収書データの各種データを顧客カード８にて一括して収集管理できるため、医療費控除の申請に係る納税者の負担を軽減させることができる。また、税理士や国税庁（税務署）の作業（医療費控除の認定作業）負担も軽減される。
【００２３】
尚、本発明は上記実施形態に限定されるものではなく、本発明の要旨を逸脱しない範囲での種々の変更は勿論可能である。
【産業上の利用可能性】
【００２４】
本発明の医療費控除申請手続支援システムは、上記の構成を有し、納税者、税理士、税務署における医療費控除の申請認定を判定するのに適している。
【符号の説明】
【００２５】
１    専用端末
２    医療費控除対象品取得手段
３    出力手段
４    医療費控除額集計手段
５    医療費控除可能性判定手段
６    医療費控除対象品情報格納手段
７    顧客情報格納手段
８    顧客カード
【図１】
2012053845.tif 000003
【図２】
2012053845.tif 000004
【図３】
2012053845.tif 000005
【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
医療費控除申請を支援するサービスを行う医療費控除手続支援システムであって、薬局等に設置された医療費控除手続用の専用端末には、顧客の医療費控除申請該当品目の購入情報を格納した購入情報格納装置を有し、該専用端末に顧客カードを挿入し、顧客識別番号とパスワードを入力し、画面操作を行い、医療費控除集計ボタン及び年度特定ボタンを操作すると、該専用端末の医療費控除集計手段によって医療費控除対象商品の購入履歴状況が画面に表示され、ＯＫボタンを操作すると、購入履歴シートが出力手段によって出力されることを特徴とする医療費控除手続支援システム。
【手続補正２】
【補正対象書類名】明細書
【補正対象項目名】００２０
【補正方法】変更
【補正の内容】
【００２０】
顧客が確定申告の医療費控除申請に備えて、薬局等の専用端末１に顧客カード８を挿入し、顧客識別番号とパスワードを入力し、画面操作を行い、医療費控除集計ボタン及び年度特定ボタンを操作すると、前記専用端末１の医療費控除集計手続４によって明細が画面に表示される。
【手続補正３】
【補正対象書類名】明細書
【補正対象項目名】００２１
【補正方法】変更
【補正の内容】
【００２１】
前記画面に顧客名、購入品のリスト購入金額の合計が表示され、ＯＫボタンを操作すると購入履歴の様式が表示されるので、間違いがない場合には、プリントボタンを操作すると、購入履歴シートが出力手段３によって、出力される。